(57)【特許請求の範囲】
【請求項１】
相互に離隔する２条のチェーンのリンクに固着した支持部材と、
前記支持部材に固着し、相互に離隔する２枚の側板と、
前記２枚の側板の前記支持部材よりも前記チェーンの走行線に対して外方位置において、該２枚の側板に設けた固定部材と、
前記２枚の側板の間に渡る幅を有し、長手方向に撓み、かつ、前記支持部材の内方に底部を形成する帯状部材と、を備え、
前記帯状部材が、前記支持部材を挟むように外方に延伸し、前記固定部材の外周を折り返し、かつ該外方に延伸する延伸部を一対の挟持部材で挟持し、
前記２条のチェーンが屈曲したときに、前記帯状部材の前記延伸部が前記支持部材を略中心に回動することにより、一連の前記帯状部材で形成する搬送物収納部の開口を拡げると共に、前記帯状部材からなる、
前記延伸部の振動を隣接する前記搬送物収納部の前記帯状部材に伝達することを特徴とするパンコンベヤ用のパン。
【請求項２】
前記帯状部材の外周を支持する外周支持部材を前記側板に設けたことを特徴とする、
請求項１記載のパンコンベヤ用のパン。
【請求項３】
前記パンが反転姿勢になったときに、前記帯状部材が前記２枚の側板の間を摺動することを特徴とする、
請求項１又は２記載のパンコンベヤ用のパン。
【請求項４】
前記帯状部材が前記２枚の側板の間を摺動するときに、前記帯状部材の内周を支持する内周支持部材を前記側板に設けたことを特徴とする、
請求項３記載のパンコンベヤ用のパン。
【発明の詳細な説明】
【０００１】
【発明の属する技術分野】
本発明は、粉体又はバラ状物を搬送するパンコンベヤ用のパンに係り、詳しくは、前記パンから搬送物を排出する際に該パンが開口するパンコンベヤ用のパンに関する。
【０００２】
【従来の技術】
従来、粉体又はバラ状物をパンコンベヤにより急傾斜の状態で搬送する場合、金属製又は樹脂製のパンが使用されている。前記パンは、搬送物を該パンから排出する際に該搬送物が該パンに残留しないようにするために、該パンの材質にステンレスを採用したり、又は、窪みのない皿型若しくは丸形状に形成している。
【０００３】
一方、撓み可能なパンにするために軟質素材を前記パンの帯状部材のベルト部に採用して、２条のチェーンを構成するリンクプレートに固着した支持部材に直接前記ベルト部を固定したパンコンベヤが存在する。
【０００４】
【発明が解決しようとする課題】
しかしながら、上記金属製又は樹脂製のパンは、パンに付着し易い搬送物の場合、上述の材質又は形状にしてもパンの底又は側板の隅に該搬送物が付着してしまい、更に当該付着物が成長して、短期間において輸送効率を低下させていた。また、上記２条のチェーンのリンクプレートに固着した支持部材に直接前記ベルト部を固定したパンコンベヤにおいても、搬送物の収納部分が該チェーンの走行線に対して内方位置のみであり、急傾斜のパンコンベヤには採用が困難であるのみならず搬送量が小さかった。一方、搬送量を大きくするために前記チェーンの走行線に対して内方位置の収納部分を深く設定したパンコンベヤが改良されたが、この場合においても、前記搬送物を収納したパンが前記チェーンのスプロケットに接近したときに該スプロケット及び回転軸との干渉を回避するために、該スプロケットを大きく設定しなければならず装置が大型化してしまい、設置場所のロス及びコストアップをきたしていた。
【０００５】
そこで、本発明の目的は、チェーンの走行線に対して外方位置にも収納部分を形成することにより、チェーンの走行線に対して内方位置の収納部分を浅く設定することができるため、装置を大型化せずに大量の粉体又はバラ状物を搬送することができるパンコンベヤ用のパンを提供することにある。
【０００６】
【課題を解決するための手段】
本発明は、上述の事情に鑑みてなされたものであって、相互に離隔する２条のチェーン（２）のリンク（２ａ）に固着した支持部材（４）と、
前記支持部材（４）に固着し、相互に離隔する２枚の側板（５）と、
前記２枚の側板（５）の前記支持部材（４）よりも前記チェーン（２）の走行線に対して外方位置において、該２枚の側板に設けた固定部材（６）と、
前記２枚の側板（５，５）の間に渡る幅を有し、長手方向に撓み、かつ、前記支持部材（４）の内方に底部を形成する帯状部材（７）と、を備え、
前記帯状部材（７）が、前記支持部材（４）を挟むように外方に延伸し、前記固定部材（６）の外周を折り返し、かつ該外方に延伸する延伸部（８）を一対の挟持部材（８ａ）で挟持し、
前記２条のチェーン（２）が屈曲したときに、前記帯状部材（７）の前記延伸部（８）が前記支持部材（４）を略中心に回動することにより、一連の前記帯状部材で形成する搬送物収納部（９）の開口を拡げると共に、前記帯状部材（７）からなる、
前記延伸部（８）の振動を隣接する前記搬送物収納部（９）の前記帯状部材（７）に伝達することを特徴とするパンコンベヤ用のパンにある。
【０００７】
また、前記帯状部材（７）の外周を支持する外周支持部材（１０）を前記側板（５）に設けると好ましい。
【０００８】
更に、前記パン（１）が反転姿勢になったときに、前記帯状部材（７）が前記２枚の側板（５）の間を摺動する。
【０００９】
そして、前記帯状部材（７）が前記２枚の側板（５）の間を摺動するときに、前記帯状部材（７）の内周を支持する内周支持部材（１１）を前記側板（５）に設けると好ましい。
【００１０】
［作用］
以上の構成に基づき、パン（１）が相互に離隔する２条のチェーン（２）を駆動するスプロケット（１０５）に噛合する位置に搬送されると、前記チェーン（２）が屈曲し、該チェーン（２）のリンク（２ａ）に固着した支持部材（４）が回動して、前記支持部材（４）に固着し相互に離隔する２枚の側板（５）も前記支持部材（４）を中心に回動する。前記側板（５）が回動すると、該側板（５）に設けた固定部材（６）が、長手方向に相互に間隔をあけ、前記支持部材（４）に跨る帯状部材（７）と、前記帯状部材（７）が前記支持部材（４）に跨る部分を外方に延伸し、前記固定部材（６）に固定した延伸部（８）とにより形成した搬送物収納部（９）の開口を拡げる。
【００１１】
更に、前記パン（１）が前記スプロケット（１０５）により回動され、前記パン（１）が反転姿勢になったときに、前記帯状部材（７）が前記２枚の側板（５）の間を摺動して下降すると共に、前記側板（５）に設けた前記帯状部材（７）の外周を支持する外周支持部材（１０）により支持され搬送物収納部（９）の底部を形成していた撓み部の撓みが弛み、更に、前記搬送物収納部（９）が開口するため、搬送物を確実に排出することができる。
【００１２】
そして、前記帯状部材（７）が前記２枚の側板（５）の間を摺動して下降するときに、前記側板（５）に設けた内周支持部材（１１）が、前記帯状部材（７）の内周を支持する。
【００１３】
なお、上述したカッコ内の符号は図面を参照するために示すものであって、本発明の構成をなんら限定するものではない。
【００１４】
【発明の実施の形態】
以下、図面に沿って、本発明による実施の形態について説明する。
【００１５】
本発明によるパンコンベヤ用のパン１は、図１に平面図で示すように、相互に離隔する２条のチェーン２のリンク２ａを構成するリンクプレート３に固着した支持部材（以下「支持バー」という）４に、相互に離隔する２枚の側板５を固着し、該２枚の側板の間に渡る幅を有し、長手方向に撓み可能な一連の帯状部材（以下「ベルト」という）７を以下に述べる構成に基づき設けてある（図４）。
【００１６】
図２は、図１のＡ−Ａ断面図であり、本発明のパン１の断面構成を示している。前記支持バー４は、同図に示すように前記側板５の略中央に固着してある。そして、前記チェーン２の走行線２ｂに対して外方位置において、つまり図２における前記側板５の上部位置には、該２枚の側板５の間に渡る固定部材６を設けてある。前記ベルト７は、前記支持バー４の上面を跨るように設けることにより、パン１の前側（パン１の進行方向。図２において右側）の壁部、底板部及び後側の壁部からなる底部を形成する。尚、前記ベルト７の前側の壁部、底板部及び後側の壁部は、前記２枚の側板の間を摺動可能に設けてある。そして、前記ベルト７の前記支持バー４に跨る部分を前記チェーン２の走行線２ｂに対して外方に延伸し、前記固定部材６の外周に折り返す延伸部（以下「ベルト重ね合わせ固定部」という）８を設けてある。更に前記ベルト重ね合わせ固定部８は、一対の挟持部材８ａ及び締めつけ手段８ｂにより両面から挟持されることにより、前記固定部材６に対して回動自在に設けてある（図３）。
【００１７】
一方、前記ベルト７の前側の壁部、底板部及び後側の壁部を前記側板５の形状に倣わせるため、前記側板５の前記チェーン２の走行線２ｂに対して内方、つまり図２において前記側板５の下方に、前記ベルト７の前側の壁部、底板部及び後側の壁部の外周を支持する複数の外周支持部材（以下「間隔バー」という）１０を設けてある。また、前記パン１が反転姿勢になり、前記ベルト７が前記２枚の側板５の間を摺動して下降するときに、該ベルト７を該側板５から落下することを回避するため、該側板５の下方位置であって前記ベルト７の前側の壁部、底板部及び後側の壁部の内周に内周支持部材（以下「ベルト抜け落ち防止ストッパ」という）１１を固着してある（図４）。
【００１９】
また、前記固定部材６及び前記間隔バー１０は、前記側板５の間に渡る１本の棒状部材により構成したが、これに限定することはなく、２枚の前記側板５の間に渡らない２本に分割した短い間隔バーを前記２枚の側板５の各々に設けてもよい。
【００２０】
ついで、上述実施の形態の作用について説明する。
【００２１】
図５に示すのは、本発明のパン１を適用したパンコンベヤ１００である。搬送するべき粉体又はバラ状物（以下「搬送物」という）は、パンコンベヤ設備１０１に設けた搬入口１０２からパンコンベヤ１００に搬入される。そして、駆動手段によりスプロケット１０４及びスプロケット１０５が回転することによりチェーン２が図５において時計方向に回転し、前記パン１に搬入した搬送物を前記スプロケット１０５の方向に搬送する。
【００２２】
前記パン１を設けた相互に離隔する前記２条のチェーン２が、該チェーン２を駆動するスプロケット１０５に噛合すると、前記チェーン２が屈曲し、該チェーン２のリンクプレート３に固着した支持バー４が回動して、前記支持バー４に固着し相互に離隔する２枚の側板５も前記支持バー４を中心に回動する。前記側板５が回動すると、該側板５に設けた固定部材６が、前記支持バー４に跨るベルト７と前記ベルト重ね合わせ固定部８とにより形成した搬送物収納部９の開口を拡げる。このときの前記パン１は、図中に符号１ａにて示すように開口する状態を維持しながら更に時計方向に回転する。そして、前記パン１が図中に符号１ｂにて示す位置に達して反転姿勢になったときに、搬送物が前記パン１から落下して搬出が開始される。
【００２３】
前記パン１が反転姿勢になったときに、前記ベルト７が前記２枚の側板５の間を摺動して下降すると共に、該側板５に設けた前記ベルト７の外周を支持する間隔バー１０により支持され搬送物収納部９の底部を形成していた撓み部の撓みが弛み、更に、前記搬送物収納部９が開口するため、搬送物を確実に排出することができる。そして、前記ベルト７が前記２枚の側板５の間を摺動して下降するときに、前記側板５に設けたベルト抜け落ち防止ストッパ１１が、前記ベルト７の内周を支持する。尚、搬送物がパン１から落下するとき、該搬送物が前記ベルト重ね合わせ固定部８を滑降することにより、隣接するパンのベルト部に振動を与えるため、該隣接するパンのベルト部に付着した搬送物が該振動により、更に確実に分離・搬出され、搬出口１０３に落下する。
【００２４】
そして、前記パン１が更に時計方向に進み、該パン１を保持しているチェーン２が前記スプロケット１０５との噛合を解除されると、前記チェーン２の屈曲が解除され略直線状態に復帰し、該チェーン２のリンクプレート３に固着した支持バー４が回動して、前記支持バー４に固着し相互に離隔する２枚の側板５も前記支持バー４を中心に回動する。前記側板５が回動すると、該側板５に設けた固定部材６が、前記支持バー４に跨るベルト７と前記ベルト重ね合わせ固定部８とにより形成した搬送物収納部９の開口を狭めて図５に符号１ｃ及び図２に示す状態に復帰する。
【００２５】
一方、図６に示すのは、本発明のパン１を適用したパンコンベヤ２００であり、上述のパンコンベヤ１００に対して搬送姿勢を変更してある。搬送物は、パンコンベヤ設備２０１に設けた搬入口２０２からパンコンベヤ２００に搬入される。そして、駆動手段によりスプロケット２０４、２０５、２０６及び２０７が回転することによりチェーン２が図６において時計方向に回転し、前記パン１に搬入した搬送物を前記スプロケット２０６及び２０５の方向に搬送する。
【００２６】
前記パン１を設けた相互に離隔する前記２条のチェーン２が、該チェーン２を駆動するスプロケット２０５に噛合すると、前記チェーン２が屈曲し、該チェーン２のリンクプレート３に固着した支持バー４が回動して、前記支持バー４に固着し相互に離隔する２枚の側板５も前記支持バー４を中心に回動する。前記側板５が回動すると、該側板５に設けた固定部材６が、前記支持バー４に跨るベルト７と前記ベルト重ね合わせ固定部８とにより形成した搬送物収納部９の開口を拡げる。このときの前記パン１は、図中に符号１ａにて示すように開口する状態を維持しながら更に時計方向に回転する。そして、前記パン１が図中に符号１ｂにて示す位置に達して反転姿勢になったときに、搬送物が前記パン１から落下して搬出が開始される。
【００２７】
前記パン１が反転姿勢になったときに、前記ベルト７が前記２枚の側板５の間を摺動して下降すると共に、該側板５に設けた前記ベルト７の外周を支持する間隔バー１０により支持され搬送物収納部９の底部を形成していた撓み部の撓みが弛み、更に、前記搬送物収納部９が開口するため、搬送物を確実に排出することができる。そして、前記ベルト７が前記２枚の側板５の間を摺動して下降するときに、前記側板５に設けたベルト抜け落ち防止ストッパ１１が、前記ベルト７の内周を支持する。尚、搬送物がパン１から落下するとき、該搬送物が前記ベルト重ね合わせ固定部８を滑降することにより、隣接するパンのベルト部に振動を与えるため、該隣接するパンのベルト部に付着した搬送物が該振動により、更に確実に分離・搬出され、搬出口２０３に落下する。
【００２８】
そして、前記パン１が更に時計方向に進み、該パン１を保持しているチェーン２が前記スプロケット２０５との噛合を解除されると、前記チェーン２の屈曲が解除され略直線状態に復帰し、該チェーン２のリンクプレート３に固着した支持バー４が回動して、前記支持バー４に固着し相互に離隔する２枚の側板５も前記支持バー４を中心に回動する。前記側板５が回動すると、該側板５に設けた固定部材６が、前記支持バー４に跨るベルト７と前記ベルト重ね合わせ固定部８とにより形成した搬送物収納部９を閉じて図６に符号１ｃ及び図２に示す状態に復帰する。
【００２９】
更に、前記パン１が更に図において左方向に進み、該パン１を保持しているチェーン２が前記スプロケット２０７と噛合すると、前記スプロケット２０５と噛合したときとは逆に、前記支持バー４に跨るベルト７と前記ベルト重ね合わせ固定部８とにより形成した搬送物収納部９が図２に示す状態より閉じた状態になるが、このときは、パン１が空であるため何ら支障はない。そして、前記パン１を保持しているチェーン２が前記スプロケット２０７との噛合を解除されると、前記チェーン２の屈曲が解除され略直線状態に復帰し、前記パン１は、図２に示す状態に復帰する。
【００３０】
【発明の効果】
本発明によると、一連の帯状部材を用いることにより、搬送物収納部を連続して形成し、かつ外方に延伸することができ、簡単な構造でもって、外方位置にも搬送物の収納部分を形成し、搬送量の増大を図ると共に、スプロケットが大型化することを防止でき、更に排出時等のチェーンの屈曲時に、挟持部材に挟持されて側板と略々一体となっている帯状部材の延伸部が互いに拡がり、搬送物収納部の開口を拡げるので、搬送物の排出効果を向上することができる。
また、搬送物を搬送物収納部から排出する際、搬送物が、延伸部から落下することによる振動が、一連の帯状部材からなる隣接する搬送物収納部の帯状部材に伝播され、該隣接する搬送物収納部の帯状部材に付着した搬送物が、該振動により分離されて排出される。
【図面の簡単な説明】
【図１】本発明に係るパンコンベヤ用のパンの平面図。
【図２】図１のＡ−Ａ矢視断面図。
【図３】図２のＢ−Ｂ矢視断面図。
【図４】本発明に係るパンコンベヤ用のパンの正面図。
【図５】本発明に係るパンコンベヤ用のパンから搬送物を排出している状態を示す正面図。
【図６】搬送方向を変更して搬送物を排出している状態を示す正面図。
【符号の説明】
１    パン（搬送物収納部）
１ａ  パン
１ｂ  パン
１ｃ  パン
２    チェーン
２ａ  リンク
４    支持部材（支持バー）
５    側板
６    固定部材
７    帯状部材（ベルト）
８    延伸部（ベルト重ね合わせ固定部分）
８ａ  挟持部材
９    搬送物収納部
１０    外周支持部材（間隔バー）
１１    内周支持部材（ベルト抜け落ち防止ストッパ）
１００    パンコンベヤ
１０５    スプロケット
２００    パンコンベヤ
２０５    スプロケット
【図１】
0003609193.tif 000002
【図２】
0003609193.tif 000003
【図３】
0003609193.tif 000004
【図４】
0003609193.tif 000005
【図５】
0003609193.tif 000006
【図６】
0003609193.tif 000007